(57)【要約】【課題】  それぞれのイメージページをより見やすくして表示する。【解決手段】  基本情報データベース１００にイメージページを作成するための冊子イメージファイル１０１、基本ページファイル１０２、リンクページファイル１０３、動画ページファイル１０４、フラッシュページファイル１０５、掲示板ファイル１０６、ファイル箱ファイル１０７、追加ページファイル１０８等の基本情報を格納し、付加情報データベース２００に基本情報に付随した音声/Musicファイル２０１、イメージバナーファイル２０２、文字バナーファイル２０３等の付加情報を格納し、イメージページ作成支援ツール３００により各種基本情報及び各種付加情報を呼び出し、各種基本情報及び各種付加情報を冊子の各ページに配置し、冊子をめくるようにして各種基本情報及び各種付加情報を表示させる。【選択図】  図１
2005208768.tif 000002
【特許請求の範囲】
【請求項１】
イメージページを作成するための各種基本情報が格納される基本情報データベースと、
基本情報に付随した各種付加情報が格納される付加情報データベースと、
前記各種基本情報及び各種付加情報を呼び出し、前記各種基本情報及び各種付加情報を冊子の各ページに配置し、冊子のページをめくるように前記各種基本情報及び各種付加情報を表示させるイメージページ作成支援ツールとを備える
ことを特徴とするイメージページ作成支援装置。
【請求項２】
前記基本情報データベースには、
前記冊子のイメージを表示させる冊子イメージファイルと、
前記基本情報の入力の受け付けや作成するイメージページのタイプを選択して登録する基本ページファイルと、
リンクさせるイメージページを選択して登録するリンクページファイルと、
動画ページを選択して登録する動画ページファイルと、
フラッシュページを選択して登録するフラッシュページファイルと、
掲示板ページを選択して登録する掲示板ファイルと、
ファイル箱ページを選択して登録するファイル箱ファイルと、
前記イメージページ、動画ページ、フラッシュページ、掲示板ページ、ファイル箱ページの追加を受け付ける追加ページファイルとが格納され、
前記付加情報データベースには、
音声/Musicを選択して登録する音声/Musicファイルと、
イメージバナーを選択して登録するイメージバナーファイルと、
文字バナーを選択して登録する文字バナーファイルとが格納されている
ことを特徴とする請求項１に記載のイメージページ作成支援装置。
【請求項３】
前記イメージページ作成支援ツールは、
ファイル登録指示に基づき、前記基本情報データベースに、前記冊子イメージファイル、基本ページファイル、リンクページファイル、動画ページファイル、フラッシュページファイル、掲示板ファイル、ファイル箱ファイル、追加ページファイルを登録し、前記付加情報データベースに、前記音声/Musicファイル、イメージバナーファイル、文字バナーファイルを登録する機能を有しているファイル登録部と、
ファイル選択指示に基づき、前記基本ページファイル、リンクページファイル、動画ページファイル、フラッシュページファイル、掲示板ファイル、ファイル箱ファイル、追加ページファイル、音声/Musicファイル、イメージバナーファイル、文字バナーファイルのいずれかを呼び出す機能を有しているファイル呼出部と、
前記ファイル選択指示があると、前記冊子イメージファイルを呼び出す機能を有している冊子イメージ呼出部と、
前記ファイル呼出部によって呼び出された前記基本ページファイル、リンクページファイル、動画ページファイル、フラッシュページファイル、掲示板ファイル、ファイル箱ファイル、追加ページファイル、音声/Musicファイル、イメージバナーファイル、文字バナーファイルのいずれかを前記冊子イメージファイルに挿入する機能を有しているファイル挿入部と、
前記冊子のイメージを表示させるとともに、前記ファイル挿入部によって挿入された前記基本ページファイル、リンクページファイル、動画ページファイル、フラッシュページファイル、掲示板ファイル、ファイル箱ファイル、追加ページファイルのいずれかを前記冊子の複数のページに表示させる機能を有している冊子イメージ表示制御部とを備える
ことを特徴とする請求項１又は２に記載のイメージページ作成支援装置。
【請求項４】
前記冊子イメージ表示制御部は、前記ファイル挿入部によって挿入された前記音声/Musicファイルを任意の再生表示領域に表示させる機能を有していることを特徴とする請求項３に記載のイメージページ作成支援装置。
【請求項５】
前記冊子イメージ表示制御部は、前記冊子に次のページをめくるボタンと前のページに戻るボタンとを表示させ、それぞれのボタンの選択に応じて前記ページをめくるようにして表示させる機能を有していることを特徴とする請求項３又は４に記載のイメージページ作成支援装置。
【請求項６】
前記冊子イメージ表示制御部は、前記冊子のページの任意の箇所が選択されると、その選択された箇所を拡大表示させ、さらにナビゲータによって拡大表示されたページをスクロールするように表示させる機能を有していることを特徴とする請求項３〜５のいずれかに記載のイメージページ作成支援装置。
【請求項７】
基本情報データベースに、イメージページを作成するための各種基本情報が格納される工程、
付加情報データベースに、基本情報に付随した各種付加情報が格納される工程と、
前記各種基本情報及び各種付加情報を呼び出し、前記各種基本情報及び各種付加情報を冊子の各ページに配置し、冊子のページをめくるように前記各種基本情報及び各種付加情報を表示させる工程とを有する
ことを特徴とするイメージページ作成支援方法。
【請求項８】
前記各種基本情報として、前記冊子のイメージを表示させる冊子イメージファイルと、基本情報の入力の受け付けや作成するイメージページのタイプを選択して登録する基本ページファイルと、リンクさせるイメージページを選択して登録するリンクページファイルと、動画ページを選択して登録する動画ページファイルと、フラッシュページを選択して登録するフラッシュページファイルと、掲示板ページを選択して登録する掲示板ファイルと、ファイル箱ページを選択して登録するファイル箱ファイルと、前記イメージページ、動画ページ、フラッシュページ、掲示板ページ、ファイル箱ページの追加を受け付ける追加ページファイルとが格納される工程と、
前記付加情報として、音声/Musicを選択して登録する音声/Musicファイルと、イメージバナーを選択して登録するイメージバナーファイルと、文字バナーを選択して登録する文字バナーファイルとが格納される工程とを有する
ことを特徴とする請求項７に記載のイメージページ作成支援方法。
【請求項９】
ファイル登録指示に基づき、前記基本情報データベースに、前記冊子イメージファイル、基本ページファイル、リンクページファイル、動画ページファイル、フラッシュページファイル、掲示板ファイル、ファイル箱ファイル、追加ページファイルを登録し、前記付加情報データベースに、前記音声/Musicファイル、イメージバナーファイル、文字バナーファイルを登録する工程と、
ファイル選択指示に基づき、前記基本ページファイル、リンクページファイル、動画ページファイル、フラッシュページファイル、掲示板ファイル、ファイル箱ファイル、追加ページファイル、音声/Musicファイル、イメージバナーファイル、文字バナーファイルのいずれかを呼び出す工程と、
前記ファイル選択指示があると、前記冊子イメージファイルを呼び出す工程と、
前記呼び出された前記基本ページファイル、リンクページファイル、動画ページファイル、フラッシュページファイル、掲示板ファイル、ファイル箱ファイル、追加ページファイル、音声/Musicファイル、イメージバナーファイル、文字バナーファイルのいずれかを前記冊子イメージファイルに挿入する工程と、
前記冊子のイメージを表示させるとともに、前記挿入された前記基本ページファイル、リンクページファイル、動画ページファイル、フラッシュページファイル、掲示板ファイル、ファイル箱ファイル、追加ページファイルのいずれかを前記冊子の複数のページに表示させる工程とを有する
ことを特徴とする請求項７又は８に記載のイメージページ作成支援方法。
【請求項１０】
前記挿入された前記音声/Musicファイルを任意の再生表示領域に表示させる工程を有することを特徴とする請求項９に記載のイメージページ作成支援方法。
【請求項１１】
前記冊子に次のページをめくるボタンと前のページに戻るボタンとを表示させ、それぞれのボタンの選択に応じて前記ページをめくるようにして表示させる工程を有することを特徴とする請求項９又は１０に記載のイメージページ作成支援方法。
【請求項１２】
前記冊子のページの任意の箇所が選択されると、その選択された箇所を拡大表示させ、さらにナビゲータによって拡大表示されたページをスクロールするように表示させる工程を有することを特徴とする請求項９〜１１のいずれかに記載のイメージページ作成支援方法。
【発明の詳細な説明】
【技術分野】
【０００１】
本発明は、たとえばホームページの作成支援を行うイメージページ作成支援装置に係り、特に、ホームページ等をより見やすくしたイメージページ作成支援装置に関するものである。
【背景技術】
【０００２】
近年、インターネットやイントラネット等のネットワークの進展により、そのネットワークを介した種々のサービスが提供されている。それらのサービスには、有償のものや無償ものがあるが、ネットワークの特徴を最もうまく利用したサービスと言え、様々な場面で広く利用されている。典型的なサービスとしては、情報提供者がネットワーク上のサーバにホームページと呼ばれるサイトを開設し、そこにアクセスしてきた任意の端末と対話を行うことにより、順に要求を絞り込み、適切な情報を提供するというものである。
【０００３】
ところで、ネットワークを介した種々の情報のやり取りを、任意のサーバや端末間で適切に行うために、これらの情報はＨＴＭＬという形式のデータで送受されている。しかし、このＨＴＭＬデータは、種々のデータと、データを特定するファイルと、制御コード等とが所定のルールに基づいて混在するデータであるため、これを理解して適切なＨＴＭＬデータを作成するのは非常に専門的な作業が強いられる。
【０００４】
すなわち、専門的な知識を有する熟練した作業者が行うようなレベルの仕事であり、通常のユーザがカスタマイズされたＷｅｂページのＨＴＭＬデータを作成するのは困難である。換言すれば、ネットワークを介して所望の情報を提供するＷｅｂページの作成は、専門的な知識を有する熟練した作業者にのみ可能であり、通常のソフトウェア技術者程度では、非常に難しい。
【０００５】
また、情報を提供するためのＷｅｂページは各情報提供者が作成するため、同じような情報を提供する者の間、すなわち、たとえば同じ種類の商品を提供する企業の間でも、その商品に関する情報の提供形態は様々である。その結果、これを見るユーザは、各企業毎に異なる形態を理解して、コンテンツである商品情報を理解しなければならず、内容が非常に分かりにくいという問題がある。特に、異なる企業の類似する商品を比較したい場合等に、各企業毎のＷｅｂページの異なる箇所の異なる形態で記載されている情報を比較しなければならず、実質的にデータの比較が非常に難しいという問題もある。
【０００６】
そこで、特許文献１では、ホームページの開設者の意向に沿った形式や内容で、ユーザにとって開示されている情報の理解が容易で情報の比較が容易に行えるようなＷｅｂページを、複雑な処理が必要なく簡単に効率よく作成できるようなＷｅｂページ作成支援システムを提案している。
【０００７】
これは、特定の団体に加入した参加企業が主催者の開設するホームページにアクセスするためのＩＤ及びパスワードの交付を受け、企業情報サーバ装置のユーティリティユニットにアクセスすると、ユーティリティトップページモジュールの機能によりユーティリティホームページが提示され、作成したい情報ページを選択することができるようにしたものである。
【０００８】
これによれば、ページ作成モジュールが選択した情報ページに必要なデータの入力を順に要求するので、それに従って順次テキストデータ、画像データ、あるいは音声データ等を入力すると、ページ作成モジュールが入力された情報をページテンプレートＤＢに記憶されているテンプレートに当てはめることにより、Ｗｅｂページが作成されて企業情報ＤＢに登録される。これにより、情報の理解が容易で比較が容易に行えるようなＷｅｂページが複雑な処理を必要とすることなく、簡単に効率よく作成できる。
【特許文献１】特開２００３−１４１１０３
【発明の開示】
【発明が解決しようとする課題】
【０００９】
ところが、上述した特許文献１では、ページ作成モジュールによる要求に従って、順次テキストデータ、画像データ、あるいは音声データ等を入力することにより、ホームページの開設者の意向に沿った形式や内容で、ユーザにとって開示されている情報の理解が容易で情報の比較が容易に行えるようなＷｅｂページの作成を行えるものの、そのＷｅｂページは単にたとえば異なる企業の類似する商品の比較が容易となるように作成されたものであり、Ｗｅｂページの切り換えが行われても、それぞれのＷｅｂページをより見やすくすることができるような工夫が見受けられない。
【００１０】
解決しようとする問題点は、Ｗｅｂページの作成が複雑な処理を必要とすることなく簡単に効率よく作成できても、Ｗｅｂページの切り換えが行われた場合に、それぞれのＷｅｂページをより見やすくすることが困難となっている点である。
【課題を解決するための手段】
【００１１】
本発明のイメージページ作成支援装置は、イメージページを作成するための各種基本情報が格納される基本情報データベースと、基本情報に付随した各種付加情報が格納される付加情報データベースと、前記各種基本情報及び各種付加情報を呼び出し、前記各種基本情報及び各種付加情報を冊子の各ページに配置し、冊子のページをめくるように前記各種基本情報及び各種付加情報を表示させるイメージページ作成支援ツールとを備えることを特徴とする。
また、前記基本情報データベースには、前記冊子のイメージを表示させる冊子イメージファイルと、前記基本情報の入力の受け付けや作成するイメージページのタイプを選択して登録する基本ページファイルと、リンクさせるイメージページを選択して登録するリンクページファイルと、動画ページを選択して登録する動画ページファイルと、フラッシュページを選択して登録するフラッシュページファイルと、掲示板ページを選択して登録する掲示板ファイルと、ファイル箱ページを選択して登録するファイル箱ファイルと、前記イメージページ、動画ページ、フラッシュページ、掲示板ページ、ファイル箱ページの追加を受け付ける追加ページファイルとが格納され、前記付加情報データベースには、音声/Musicを選択して登録する音声/Musicファイルと、イメージバナーを選択して登録するイメージバナーファイルと、文字バナーを選択して登録する文字バナーファイルとが格納されているようにすることができる。
また、前記イメージページ作成支援ツールは、ファイル登録指示に基づき、前記基本情報データベースに、前記冊子イメージファイル、基本ページファイル、リンクページファイル、動画ページファイル、フラッシュページファイル、掲示板ファイル、ファイル箱ファイル、追加ページファイルを登録し、前記付加情報データベースに、前記音声/Musicファイル、イメージバナーファイル、文字バナーファイルを登録する機能を有しているファイル登録部と、ファイル選択指示に基づき、前記基本ページファイル、リンクページファイル、動画ページファイル、フラッシュページファイル、掲示板ファイル、ファイル箱ファイル、追加ページファイル、音声/Musicファイル、イメージバナーファイル、文字バナーファイルのいずれかを呼び出す機能を有しているファイル呼出部と、前記ファイル選択指示があると、前記冊子イメージファイルを呼び出す機能を有している冊子イメージ呼出部と、前記ファイル呼出部によって呼び出された前記基本ページファイル、リンクページファイル、動画ページファイル、フラッシュページファイル、掲示板ファイル、ファイル箱ファイル、追加ページファイル、音声/Musicファイル、イメージバナーファイル、文字バナーファイルのいずれかを前記冊子イメージファイルに挿入する機能を有しているファイル挿入部と、前記冊子のイメージを表示させるとともに、前記ファイル挿入部によって挿入された前記基本ページファイル、リンクページファイル、動画ページファイル、フラッシュページファイル、掲示板ファイル、ファイル箱ファイル、追加ページファイルのいずれかを前記冊子の複数のページに表示させる機能を有している冊子イメージ表示制御部とを備えるようにすることができる。
また、前記冊子イメージ表示制御部は、前記ファイル挿入部によって挿入された前記音声/Musicファイルを任意の再生表示領域に表示させる機能を有しているようにすることができる。
また、前記冊子イメージ表示制御部は、前記冊子に次のページをめくるボタンと前のページに戻るボタンとを表示させ、それぞれのボタンの選択に応じて前記ページをめくるようにして表示させる機能を有しているようにすることができる。
また、前記冊子イメージ表示制御部は、前記冊子のページの任意の箇所が選択されると、その選択された箇所を拡大表示させ、さらにナビゲータによって拡大表示されたページをスクロールするように表示させる機能を有しているようにすることができる。
本発明のイメージページ作成支援方法は、基本情報データベースに、イメージページを作成するための各種基本情報が格納される工程、付加情報データベースに、基本情報に付随した各種付加情報が格納される工程と、前記各種基本情報及び各種付加情報を呼び出し、前記各種基本情報及び各種付加情報を冊子の各ページに配置し、冊子のページをめくるように前記各種基本情報及び各種付加情報を表示させる工程とを有することを特徴とする。
また、前記各種基本情報として、前記冊子のイメージを表示させる冊子イメージファイルと、基本情報の入力の受け付けや作成するイメージページのタイプを選択して登録する基本ページファイルと、リンクさせるイメージページを選択して登録するリンクページファイルと、動画ページを選択して登録する動画ページファイルと、フラッシュページを選択して登録するフラッシュページファイルと、掲示板ページを選択して登録する掲示板ファイルと、ファイル箱ページを選択して登録するファイル箱ファイルと、前記イメージページ、動画ページ、フラッシュページ、掲示板ページ、ファイル箱ページの追加を受け付ける追加ページファイルとが格納される工程と、前記付加情報として、音声/Musicを選択して登録する音声/Musicファイルと、イメージバナーを選択して登録するイメージバナーファイルと、文字バナーを選択して登録する文字バナーファイルとが格納される工程とを有するようにすることができる。
また、ファイル登録指示に基づき、前記基本情報データベースに、前記冊子イメージファイル、基本ページファイル、リンクページファイル、動画ページファイル、フラッシュページファイル、掲示板ファイル、ファイル箱ファイル、追加ページファイルを登録し、前記付加情報データベースに、前記音声/Musicファイル、イメージバナーファイル、文字バナーファイルを登録する工程と、ファイル選択指示に基づき、前記基本ページファイル、リンクページファイル、動画ページファイル、フラッシュページファイル、掲示板ファイル、ファイル箱ファイル、追加ページファイル、音声/Musicファイル、イメージバナーファイル、文字バナーファイルのいずれかを呼び出す工程と、前記ファイル選択指示があると、前記冊子イメージファイルを呼び出す工程と、前記呼び出された前記基本ページファイル、リンクページファイル、動画ページファイル、フラッシュページファイル、掲示板ファイル、ファイル箱ファイル、追加ページファイル、音声/Musicファイル、イメージバナーファイル、文字バナーファイルのいずれかを前記冊子イメージファイルに挿入する工程と、前記冊子のイメージを表示させるとともに、前記挿入された前記基本ページファイル、リンクページファイル、動画ページファイル、フラッシュページファイル、掲示板ファイル、ファイル箱ファイル、追加ページファイルのいずれかを前記冊子の複数のページに表示させる工程とを有するようにすることができる。
また、前記挿入された前記音声/Musicファイルを任意の再生表示領域に表示させる工程を有するようにすることができる。
また、前記冊子に次のページをめくるボタンと前のページに戻るボタンとを表示させ、それぞれのボタンの選択に応じて前記ページをめくるようにして表示させる工程を有するようにすることができる。
また、前記冊子のページの任意の箇所が選択されると、その選択された箇所を拡大表示させ、さらにナビゲータによって拡大表示されたページをスクロールするように表示させる工程を有するようにすることができる。
本発明に係るイメージページ作成支援装置は、基本情報データベースにイメージページを作成するための各種基本情報を格納し、付加情報データベースに基本情報に付随した各種付加情報を格納し、イメージページ作成支援ツールにより各種基本情報及び各種付加情報を呼び出し、各種基本情報及び各種付加情報を冊子の各ページに配置し、冊子のページをめくるように各種基本情報及び各種付加情報を表示させることができる。
【発明の効果】
【００１２】
本発明のイメージページ作成支援装置は、各種基本情報及び各種付加情報を冊子の各ページに配置し、冊子のページをめくるように各種基本情報及び各種付加情報を表示させることができ、イメージページの作成が複雑な処理を必要とすることなく簡単に効率よく行うことができるばかりか、それぞれのイメージページをより見やすくすることができる。
【発明を実施するための最良の形態】
【００１３】
本発明のイメージページ作成支援装置は、たとえばホームページを本、ノート、メモ帳、アルバム等の冊子のイメージで構成し、冊子内の各Ｗｅｂページに文字、画像、動画、音声等を配置し、ページをめくるようにして各Ｗｅｂページの表示を切り換えるようにした。
【００１４】
図１は、本発明のイメージページ作成支援装置の一実施の形態を示す図、図２〜図１１は、図１の基本情報データベースに格納される各種ファイルを説明するための図、図１２〜図１４は、図１の付加情報データベースに格納される各種ファイルを説明するための図、図１５及び図１６は、図１のイメージページ作成支援装置によるイメージページ作成支援方法を説明するためのフローチャートである。
【００１５】
図１に示すイメージページ作成支援装置は、イメージページ作成支援者が保有するものであり、基本情報データベース１００、付加情報データベース２００、イメージページ作成支援ツール３００を備えている。
【００１６】
基本情報データベース１００には、冊子イメージファイル１０１、基本ページファイル１０２、リンクページファイル１０３、動画ページファイル１０４、フラッシュページファイル１０５、掲示板ファイル１０６、ファイル箱ファイル１０７、追加ページファイル１０８の基本情報が格納される。
【００１７】
冊子イメージファイル１０１は、たとえば図２に示すように、画面１０９内に冊子１１０のイメージを表示させるファイル、複数のバナー１１１ａ〜１１１ｅが貼り付けられるバナー領域１１１を表示させるファイル、音声/Musicを再生させる再生表示領域１１２を表示させるファイル等を有している。ここで、冊子１１０のイメージとしては、本、ノート、メモ帳、アルバム等のように複数のページ１１０ａ，１１０ｂ等を有し、１枚ずつめくることができる構成となっている。
【００１８】
また、冊子１１０には、ページめくりボタン１１３ａ，１１３ｂが設けられている。ページめくりボタン１１３ａは、マウス等でクリックされると、次のページをめくる機能を有している。ページめくりボタン１１３ｂは、マウス等でクリックされると、前のページをめくる機能を有している。
【００１９】
また、たとえばページ１１０ａの任意の箇所がマウス等でクリックされると、たとえば図３に示すように、マウス等でクリックされたページ１１０ａの任意の箇所が画面１０９内で拡大表示される。この場合、拡大表示されたページ１１０ａを上下左右にスクロールするための複数のスクロールボタン１１４ａ〜１１４ｄを有したナビゲータ１１４が表示される。拡大表示されたページ１１０ａを上下左右にスクロールする場合には、マウスの矢印をスクロールボタン１１４ａ〜１１４ｄのいずれかに重ね合わせればよい。また、拡大表示されたページ１１０ａを元の表示倍率に戻す場合は、再度、ページ１１０ａの任意の箇所をマウス等でクリックすればよい。
【００２０】
基本ページファイル１０２は、基本情報の入力を受け付けるファイルであり、たとえば図４に示すように、基本情報のコンテンツ１１５をクリックしてページを表示し、ＩＤ、Ｐｓｗｄ（パスワード）、サイズ、拡大比率、サイト名、Ｈｏｍｅｐａｇｅ、Ｅ−ｍａｉｌ、ＴＥＬ、ＦＡＸ、Ａｄｄｒｅｓｓ、削除、地域コード、業種コード、ロゴの登録等の入力を受け付ける。
【００２１】
また、基本ページファイル１０２には、たとえば図５に示すように、作成するイメージページのタイプを選択して登録するためのファイルがある。ここでは、図５（ａ）に示す詳細ページ作成のコンテンツ１１６をクリックしてページを表示し、ページ作成欄１１７から図５（ｂ）に示すページ詳細を呼び出して、作成するイメージページのタイプの選択欄１１８を選択することで、イメージページを登録することができる。このイメージページは、イメージページ作成支援者によって用意されるものである。
【００２２】
リンクページファイル１０３は、リンクさせるイメージページを選択して登録するためのファイルであり、たとえば図６（ａ）に示す詳細ページ作成のコンテンツ１１６をクリックしてページを表示し、ページ作成欄１１７から図６（ｂ）に示すページ詳細を呼び出して、リンクさせるイメージページのタイプの選択欄１１８を選択することで、リンクさせるイメージページを登録することができる。このリンクさせるイメージページは、イメージページ作成支援者が提供するたとえばホームページを利用するユーザが用意するものである。
【００２３】
動画ページファイル１０４は、動画ページを選択して登録するためのファイルであり、たとえば図７（ａ）に示す詳細ページ作成のコンテンツ１１６をクリックしてページを表示し、ページ作成欄１１７から図７（ｂ）に示すページ詳細を呼び出して、動画ページの選択欄１１９より任意の動画ページを選択することができる。この任意の動画ページは、イメージページ作成支援者が提供するたとえばホームページを利用するユーザが用意するものである。
【００２４】
フラッシュページファイル１０５は、フラッシュページを選択して登録するためのファイルであり、たとえば図８（ａ）に示す詳細ページ作成のコンテンツ１１６をクリックしてページを表示し、ページ作成欄１１７から図８（ｂ）に示すページ詳細を呼び出して、フラッシュページの選択欄１２０より任意のフラッシュページを選択することができる。この任意のフラッシュページは、イメージページ作成支援者が提供するたとえばホームページを利用するユーザが用意するものである。
【００２５】
掲示板ファイル１０６は、掲示板を選択して登録するためのファイルであり、たとえば図９（ａ）に示す詳細ページ作成のコンテンツ１１６をクリックしてページを表示し、ページ作成欄１１７から図９（ｂ）に示すページ詳細を呼び出して、掲示板の選択欄１２１より任意の掲示板を選択することができる。また、図９（ｂ）に示す掲示板名の入力欄１２２にユーザが表記したい名称を入力することができる。この任意の掲示板は、イメージページ作成支援者が用意するものである。
【００２６】
ファイル箱ファイル１０７は、ファイル箱を選択して登録するためのファイルであり、たとえば図１０（ａ）に示す詳細ページ作成のコンテンツ１１６をクリックしてページを表示し、ページ作成欄１１７から図１０（ｂ）に示すページ詳細を呼び出して、ファイル箱の選択欄１２１より任意のファイル箱を選択することができる。また、図１０（ｂ）に示す入力欄１２２にユーザが表記したい名称を入力することができる。この任意のファイル箱は、イメージページ作成支援者が用意するものであり、ファイル箱内のファイルはユーザが用意するものである。
【００２７】
追加ページファイル１０８は、上述したイメージページ、動画ページ、フラッシュページ、掲示板ページ、ファイル箱ページや、音声等の追加を受け付けるためのファイルであり、たとえば図１１（ａ）に示すサービス追加のコンテンツ１２３をクリックしてページを表示し、ページ作成欄１１７から図１１（ｂ）に示すページ詳細を呼び出して、イメージページの追加欄１２４、動画ページの追加欄１２５、フラッシュページの追加欄１２６、掲示板ページの追加欄１２７、ファイル箱ページの追加欄１２８、音声等の追加欄１２９のいずれかを選択することができる。
【００２８】
また、これらのイメージページ、動画ページ、フラッシュページ、掲示板ページ、ファイル箱ページや、音声等の追加は、有料とすることができ、それぞれの追加ページ毎に設定された課金をユーザに対して行うことができる。
【００２９】
付加情報データベース２００には、たとえば図１に示すように、上述の基本情報に付随した音声/Musicファイル２０１、イメージバナーファイル２０２、文字バナーファイル２０３等の付加情報が格納される。音声/Musicファイル２０１は、音声/Musicを選択して登録するためのファイルであり、たとえば図１２（ａ）に示す付加機能のコンテンツ２０４をクリックしてページを表示し、登録欄２０５から図１２（ｂ）に示すページ詳細を呼び出して、タイトルの入力欄２０６にタイトルを入力し、音声/Musicの登録方法の選択欄２０７より登録方法を選択することで、音声/Musicが登録される。ここで、音声/Musicは、イメージページ作成支援者及びユーザが用意するものである。
【００３０】
イメージバナーファイル２０２は、イメージバナーを選択して登録するためのファイルであり、たとえば図１３（ａ）に示す付加機能のコンテンツ２０４をクリックしてページを表示し、登録欄２０５から図１３（ｂ）に示すページ詳細を呼び出して、イメージバナーの選択欄２０８からイメージバナーを選択し、選択したイメージバナーにリンクを張りたい場合は、ＵＲＬの入力欄２０９にリンク先のＵＲＬを入力することで、イメージバナーが登録される。ここで、イメージバナーは、イメージページ作成支援者及びユーザが用意するものである。
【００３１】
文字バナーファイル２０３は、文字バナーを選択して登録するためのファイルであり、たとえば図１４（ａ）に示す付加機能のコンテンツ２０４をクリックしてページを表示し、登録欄２０５から図１４（ｂ）に示すページ詳細を呼び出して、広報文句の入力欄２１０に広報文句を入力し、その入力した広報文句にリンクを張りたい場合は、ＵＲＬの入力欄２０９にリンク先のＵＲＬを入力することで、文字バナーが登録される。ここで、文字バナーは、イメージページ作成支援者及びユーザが用意するものである。
【００３２】
イメージページ作成支援ツール３００は、ファイル登録部３０１、ファイル呼出部３０２、冊子イメージ呼出部３０３、ファイル挿入部３０４、冊子イメージ表示制御部３０５を備えている。
【００３３】
ファイル登録部３０１は、ファイル登録指示に基づき、上述した冊子イメージファイル１０１、基本ページファイル１０２、リンクページファイル１０３、動画ページファイル１０４、フラッシュページファイル１０５、掲示板ファイル１０６、ファイル箱ファイル１０７、追加ページファイル１０８、音声/Musicファイル２０１、イメージバナーファイル２０２、文字バナーファイル２０３を登録する機能を有している。
【００３４】
ファイル呼出部３０２は、ファイル選択指示に基づき、上述した基本ページファイル１０２、リンクページファイル１０３、動画ページファイル１０４、フラッシュページファイル１０５、掲示板ファイル１０６、ファイル箱ファイル１０７、追加ページファイル１０８、音声/Musicファイル２０１、イメージバナーファイル２０２、文字バナーファイル２０３のいずれかを呼び出す機能を有している。
【００３５】
冊子イメージ呼出部３０３は、ファイル選択指示があると、冊子イメージファイル１０１を呼び出す機能を有している。  
【００３６】
ファイル挿入部３０４は、ファイル呼出部３０２によって呼び出された基本ページファイル１０２、リンクページファイル１０３、動画ページファイル１０４、フラッシュページファイル１０５、掲示板ファイル１０６、ファイル箱ファイル１０７、追加ページファイル１０８、音声/Musicファイル２０１、イメージバナーファイル２０２、文字バナーファイル２０３のいずれかを冊子イメージファイル１０１に挿入する機能を有している。
【００３７】
冊子イメージ表示制御部３０５は、図２に示した冊子１１０のイメージを表示させる機能を有している。また、冊子イメージ表示制御部３０５は、ファイル挿入部３０４によって挿入された基本ページファイル１０２、リンクページファイル１０３、動画ページファイル１０４、フラッシュページファイル１０５、掲示板ファイル１０６、ファイル箱ファイル１０７、追加ページファイル１０８のいずれかを図２に示した冊子１１０の複数のページ１１０ａ，１１０ｂ等に表示させる機能を有している。
【００３８】
また、冊子イメージ表示制御部３０５は、ファイル挿入部３０４によって挿入されたイメージバナーファイル２０２、文字バナーファイル２０３のいずれかをバナー領域１１１に表示させ、さらにファイル挿入部３０４によって挿入された音声/Musicファイル２０１の音声/Musicを再生させる再生表示領域１１２に表示させる機能を有している。
【００３９】
また、冊子イメージ表示制御部３０５は、図２に示したページめくりボタン１１３ａがマウス等でクリックされると、次のページをめくるようにして表示させ、ページめくりボタン１１３ｂがマウス等でクリックされると、前のページをめくるようにして表示させる機能を有している。
【００４０】
また、冊子イメージ表示制御部３０５は、図２に示したたとえばページ１１０ａの任意の箇所がマウス等でクリックされると、たとえば図３に示したように、マウス等でクリックされたたとえばページ１１０ａの任意の箇所を画面１０９内で拡大して表示させ、さらにナビゲータ１１４のスクロールボタン１１４ａ〜１１４ｄのいずれかにマウスの矢印が重ね合わされると、それに対応する方向へ拡大表示されたページ１１０ａをスクロールするように表示させる機能を有している。
【００４１】
また、冊子イメージ表示制御部３０５は、拡大表示されたページ１１０ａの任意の箇所がマウス等でクリックされると、ページ１１０ａを元の表示倍率に戻すようにして表示させる機能を有している。
【００４２】
次に、このような構成のイメージページ作成支援装置によるイメージページ作成支援方法について説明する。なお、以下の説明においては、基本情報データベース１００に、冊子イメージファイル１０１、基本ページファイル１０２、リンクページファイル１０３、動画ページファイル１０４、フラッシュページファイル１０５、掲示板ファイル１０６、ファイル箱ファイル１０７、追加ページファイル１０８が既に格納され、付加情報データベース２００に、音声/Musicファイル２０１、イメージバナーファイル２０２、文字バナーファイル２０３が既に格納されているものとする。また、以下においては、ホームページを作成する場合について説明する。
【００４３】
ホームページを作成する場合には、まず図１５に示すように、基本ページファイル１０２を呼び出し（ステップＳ１）、たとえば図４に示したように、基本情報のコンテンツ１１５をクリックしてページを表示し、ＩＤ、Ｐｓｗｄ（パスワード）、サイズ、拡大比率、サイト名、Ｈｏｍｅｐａｇｅ、Ｅ−ｍａｉｌ、ＴＥＬ、ＦＡＸ、Ａｄｄｒｅｓｓ、削除、地域コード、業種コード、ロゴの登録等を入力する。これにより、基本情報の入力が受け付けられる（ステップＳ２）。
【００４４】
次いで、たとえば図５（ａ）に示したように、基本ページファイル１０２から詳細ページ作成のコンテンツ１１６をクリックしてページを表示し、ページ作成欄１１７から図５（ｂ）に示したページ詳細を呼び出して、作成するイメージページのタイプの選択欄１１８を選択する（ステップＳ３）。これにより、作成するイメージページのタイプが選択されて登録される（ステップＳ４）。
【００４５】
次いで、イメージページをリンクさせたい場合には、たとえば図６（ａ）に示したように、リンクページファイル１０３の詳細ページ作成のコンテンツ１１６をクリックしてページを表示し、ページ作成欄１１７から図６（ｂ）に示したページ詳細を呼び出して、リンクさせるイメージページのタイプの選択欄１１８を選択する（ステップＳ５）。これにより、リンクさせたいイメージページが登録される（ステップＳ６）。
【００４６】
次いで、動画ページを登録したい場合、たとえば図７（ａ）に示したように、動画ページファイル１０４の詳細ページ作成のコンテンツ１１６をクリックしてページを表示し、ページ作成欄１１７から図７（ｂ）に示したページ詳細を呼び出して、動画ページの選択欄１１９より任意の動画ページを選択する（ステップＳ７）。これにより、任意の動画ページが登録される（ステップＳ８）。
【００４７】
次いで、フラッシュページを登録したい場合、たとえば図８（ａ）に示したように、フラッシュページファイル１０５の詳細ページ作成のコンテンツ１１６をクリックしてページを表示し、ページ作成欄１１７から図８（ｂ）に示したページ詳細を呼び出して、フラッシュページの選択欄１２０より任意のフラッシュページを選択する（ステップＳ９）。これにより、任意のフラッシュページが登録される（ステップＳ１０）。
【００４８】
次いで、掲示板を登録したい場合、たとえば図９（ａ）に示したように、掲示板ファイル１０６の詳細ページ作成のコンテンツ１１６をクリックしてページを表示し、ページ作成欄１１７から図９（ｂ）に示したページ詳細を呼び出して、掲示板の選択欄１２１より任意の掲示板を選択する（ステップＳ１１）。また、図９（ｂ）に示した掲示板名の入力欄１２２にユーザが表記したい名称を入力することもできる。これにより、任意の掲示板が登録される（ステップＳ１２）。
【００４９】
次いで、ファイル箱を登録したい場合、たとえば図１０（ａ）に示したように、ファイル箱ファイル１０７の詳細ページ作成のコンテンツ１１６をクリックしてページを表示し、ページ作成欄１１７から図１０（ｂ）に示したページ詳細を呼び出して、ファイル箱の選択欄１２１より任意のファイル箱を選択する（ステップＳ１３）。また、図１０（ｂ）に示した入力欄１２２にユーザが表記したい名称を入力することもできる。これにより、任意のファイル箱が登録される（ステップＳ１４）。
【００５０】
以上により、作成するイメージページのタイプの登録、イメージページのリンクの登録、動画ページの登録、フラッシュページの登録、掲示板の登録、ファイル箱の登録が行われるが、各ファイルのページをさらに増やしたい場合には、たとえば図１１（ａ）に示したように、追加ページファイル１０８のサービス追加のコンテンツ１２３をクリックしてページを表示し、ページ作成欄１１７から図１１（ｂ）に示したページ詳細を呼び出して、イメージページの追加欄１２４、動画ページの追加欄１２５、フラッシュページの追加欄１２６、掲示板ページの追加欄１２７、ファイル箱ページの追加欄１２８、音声等の追加欄１２９のいずれかを選択する（ステップＳ１５）。これにより、イメージページが追加される（ステップＳ１６）。
【００５１】
また、これらのイメージページ、動画ページ、フラッシュページ、掲示板ページ、ファイル箱ページや、音声等の追加が有料となっている場合、それぞれの追加ページ毎に設定された課金がユーザに対して行われる。
【００５２】
さらに、付加情報として、音声/Musicを登録したい場合、たとえば図１２（ａ）に示したように、音声/Musicファイル２０１の付加機能のコンテンツ２０４をクリックしてページを表示し、登録欄２０５から図１２（ｂ）に示すページ詳細を呼び出して、タイトルの入力欄２０６にタイトルを入力し、音声/Musicの登録方法の選択欄２０７より登録方法を選択する（ステップＳ１７）。これにより、音声/Musicが登録される（ステップＳ１８）。
【００５３】
また、付加情報として、イメージバナーを登録したい場合、たとえば図１３（ａ）に示したように、イメージバナーファイル２０２の付加機能のコンテンツ２０４をクリックしてページを表示し、登録欄２０５から図１３（ｂ）に示すページ詳細を呼び出して、イメージバナーの選択欄２０８からイメージバナーを選択し、選択したイメージバナーにリンクを張りたい場合は、ＵＲＬの入力欄２０９にリンク先のＵＲＬを入力する（ステップＳ１９）。これにより、イメージバナーが登録される（ステップＳ２０）。
【００５４】
また、付加情報として、文字バナーを登録したい場合、たとえば図１４（ａ）に示したように、文字バナーファイル２０３の付加機能のコンテンツ２０４をクリックしてページを表示し、登録欄２０５から図１４（ｂ）に示すページ詳細を呼び出して、広報文句の入力欄２１０に広報文句を入力し、その入力した広報文句にリンクを張りたい場合は、ＵＲＬの入力欄２０９にリンク先のＵＲＬを入力する（ステップＳ２１）。これにより、図１６に示すように、文字バナーが登録される（ステップＳ２２）。
【００５５】
以上により、付加情報として、音声/Music、イメージバナー、文字バナーが登録される。
【００５６】
上述したように、作成するイメージページのタイプの登録、イメージページのリンクの登録、動画ページの登録、フラッシュページの登録、掲示板の登録、ファイル箱の登録や、付加情報としての音声/Music、イメージバナー、文字バナーの登録が行われると、図２に示した冊子１１０内に、イメージページ、動画ページ、フラッシュページ、掲示板、ファイル箱等が各ページ１１０ａ，１１０ｂ毎に配置される（ステップＳ２３）。
【００５７】
また、図２に示したバナー領域１１１内にイメージバナーや文字バナーが複数のバナー１１１ａ〜１１１ｅとして配置される（ステップＳ２４）。また、再生表示領域１１２内に、音声/Musicが配置される（ステップＳ２５）。
【００５８】
ここで、冊子１１０のページめくりボタン１１３ａがマウス等でクリックされると、次のページがめくられるようにして表示される（ステップＳ２６）。また、冊子１１０のページめくりボタン１１３ｂがマウス等でクリックされると、前のページがめくられるようにして表示される（ステップＳ２７）。つまり、本、ノート、メモ帳、アルバム等をめくるようにして各ページ１１０ａ，１１０ｂ毎に配置されたイメージページ、動画ページ、フラッシュページ、掲示板、ファイル箱等を見ることができる。
【００５９】
また、たとえばページ１１０ａの任意の箇所がマウス等でクリックされると、たとえば図３に示したように、マウス等でクリックされたページ１１０ａの任意の箇所が画面１０９内で拡大表示される（ステップＳ２８）。これにより、細かい文字や画像を容易に見ることができる。また、同時に、複数のスクロールボタン１１４ａ〜１１４ｄを有したナビゲータ１１４が表示されるため、マウスの矢印をスクロールボタン１１４ａ〜１１４ｄのいずれかに重ね合わせるだけで、拡大表示されたページ１１０ａを上下左右にスクロールしてみることもできる（ステップＳ２９）。また、拡大表示されたページ１１０ａを元の表示倍率に戻す場合は（ステップＳ３０）、再度、ページ１１０ａの任意の箇所をマウス等でクリックすればよい。
【００６０】
このように、本実施形態では、基本情報データベース１００にイメージページを作成するための冊子イメージファイル１０１、基本ページファイル１０２、リンクページファイル１０３、動画ページファイル１０４、フラッシュページファイル１０５、掲示板ファイル１０６、ファイル箱ファイル１０７、追加ページファイル１０８等の基本情報を格納し、付加情報データベース２００に基本情報に付随した音声/Musicファイル２０１、イメージバナーファイル２０２、文字バナーファイル２０３等の付加情報を格納し、イメージページ作成支援ツール３００により各種基本情報及び各種付加情報を呼び出し、各種基本情報及び各種付加情報を冊子１１０の各ページ１１０ａ，１１０ｂ等に配置し、冊子１１０の各ページ１１０ａ，１１０ｂ等をめくるように各種基本情報及び各種付加情報を表示させるようにしたので、イメージページの作成が複雑な処理を必要とすることなく簡単に効率よく作成できるばかりか、それぞれのイメージページをより見やすくすることができる。
【００６１】
なお、本実施形態では、図２に示したように、バナー領域１１１内にイメージバナーや文字バナーが複数のバナー１１１ａ〜１１１ｅとして配置され、再生表示領域１１２内に、音声/Musicが配置される場合について説明したが、これらは冊子１１０内の各ページ１１０ａ，１１０ｂ等に配置されるようにしてもよい。
【産業上の利用可能性】
【００６２】
ホームページの作成に限らず、本、ノート、メモ帳、アルバム等の作成にも適用できる。
【図面の簡単な説明】
【００６３】
【図１】本発明のイメージページ作成支援装置の一実施の形態を示す図である。
【図２】図１の基本情報データベースに格納される冊子イメージファイルを説明するための図である。
【図３】図２のページが拡大表示された場合を示す図である。
【図４】図１の基本情報データベースに格納される基本ページファイルを説明するための図である。
【図５】図１の基本情報データベースに格納される基本ページファイルを説明するための図である。
【図６】図１の基本情報データベースに格納されるリンクページファイルを説明するための図である。
【図７】図１の基本情報データベースに格納される動画ページファイルを説明するための図である。
【図８】図１の基本情報データベースに格納されるフラッシュページファイルを説明するための図である。
【図９】図１の基本情報データベースに格納される掲示板ファイルを説明するための図である。
【図１０】図１の基本情報データベースに格納されるファイル箱ファイルを説明するための図である。
【図１１】図１の基本情報データベースに格納される追加ページファイルを説明するための図である。
【図１２】図１の付加情報データベースに格納される音声/Musicファイルを説明するための図である。
【図１３】図１の付加情報データベースに格納されるイメージバナーファイルを説明するための図である。
【図１４】図１の付加情報データベースに格納される文字バナーファイルを説明するための図である。
【図１５】図１のイメージページ作成支援装置によるイメージページ作成支援方法を説明するためのフローチャートである。
【図１６】図１のイメージページ作成支援装置によるイメージページ作成支援方法を説明するためのフローチャートである。
【符号の説明】
【００６４】
１００  基本情報データベース
１０１  冊子イメージファイル
１０２  基本ページファイル
１０３  リンクページファイル
１０４  動画ページファイル
１０５  フラッシュページファイル
１０６  掲示板ファイル
１０７  ファイル箱ファイル
１０８  追加ページファイル
１１０  冊子
１１０ａ，１１０ｂ  ページ
１１１  バナー領域
１１２  再生表示領域
１１４  ナビゲータ
１１４ａ〜１１４ｄ  スクロールボタン
２００  付加情報データベース
２０１  音声/Musicファイル
２０２  イメージバナーファイル
２０３  文字バナーファイル
３００  イメージページ作成支援ツール
３０１  ファイル登録部
３０２  ファイル呼出部
３０３  冊子イメージ呼出部
３０４  ファイル挿入部
３０５  冊子イメージ表示制御部
【図１】
2005208768.tif 000003
【図２】
2005208768.tif 000004
【図３】
2005208768.tif 000005
【図４】
2005208768.tif 000006
【図５】
2005208768.tif 000007
【図６】
2005208768.tif 000008
【図７】
2005208768.tif 000009
【図８】
2005208768.tif 000010
【図９】
2005208768.tif 000011
【図１０】
2005208768.tif 000012
【図１１】
2005208768.tif 000013
【図１２】
2005208768.tif 000014
【図１３】
2005208768.tif 000015
【図１４】
2005208768.tif 000016
【図１５】
2005208768.tif 000017
【図１６】
2005208768.tif 000018